(57)【要約】【課題】釣り竿のトップガイドをより確実に保護することができる釣り竿のトップガイド保護具を提供すること。【解決手段】釣り竿１のトップガイド保護具１０は、円錐のテーパ形状を有し、線状部材７を通して線状部材７に取り付けられている接続金具９を収容する接続金具収容部２０と、接続金具収容部２０に接続された一方の端部から他方の端部に向かって先細りに形成され、トップガイド３にはめ込まれるはめ込み部分３０と、を備える。接続金具収容部２０は、はめ込み部分３０がトップガイド３にはめ込まれた状態で接続金具９を内部に収容し、接続金具収容部２０およびはめ込み部分３０が、トップガイド３を保護する。【選択図】図２
0003232831.tif 000002
【実用新案登録請求の範囲】
【請求項１】
釣り竿の先端に取り付けられているトップガイドにはめ込まれる釣り竿のトップガイド保護具であって、
円錐のテーパ形状を有し、線状部材を通して前記線状部材に取り付けられている接続金具を収容する接続金具収容部と、
前記接続金具収容部に接続された一方の端部から他方の端部に向かって先細りに形成され、前記トップガイドにはめ込まれるはめ込み部分と、
を備え、  
前記接続金具収容部は、前記はめ込み部分が前記トップガイドにはめ込まれた状態で前記接続金具を内部に収容し、
前記接続金具収容部および前記はめ込み部分が、前記トップガイドを保護する構成とされたことを特徴とする釣り竿のトップガイド保護具。
【請求項２】
前記接続金具収容部および前記はめ込み部分は、前記トップガイドの内側および外側の両方を外力から保護することを特徴とする請求項１または２に記載の釣り竿のトップガイド保護具。
【請求項３】
前記線状部材を側方から前記接続金具収容部と前記はめ込み部分との中に通すためのスリットが、前記接続金具収容部から前記はめ込み部分まで延びて形成されていることを特徴とする請求項１に記載の釣り竿のトップガイド保護具。
【請求項４】
前記スリットは、直線状に延びていることを特徴とする請求項３に記載の釣り竿のトップガイド保護具。
【請求項５】
前記スリットは、屈曲して延びていることを特徴とする請求項３に記載の釣り竿のトップガイド保護具。
【考案の詳細な説明】
【技術分野】
【０００１】
本考案は、釣り竿の先端に取り付けられて釣り糸をガイドするトップガイドを保護するための釣り竿のトップガイド保護具に関する。
【背景技術】
【０００２】
釣り竿は、釣り糸をガイドするためのトップガイドを先端に備えている。トップガイドの内側には、例えばＳｉＣ（炭化ケイ素）などにより形成されたガイドリングが固定されている。ＳｉＣにより形成されたガイドリング（以下、説明の便宜上「ＳｉＣリング」と称する。）は、例えば釣り糸とトップガイドとの間の摩擦抵抗を低減したり、釣り糸とトップガイドとの間で生ずる摩擦熱を拡散したりする機能を有する。
【０００３】
多くの釣り人は、早朝、あるいは夕暮れ時以降の暗い時間帯に釣り場に出ることがある。釣り人が暗い環境の中でタックルの準備をすることは、釣り人にとってストレスの一つになっている。そのため、多くの釣り人は、釣りに行く前（例えば前夜）に自宅で釣り竿のセッティングを済ませて、セッティングを行った釣り竿を車に積んで移動する。その際に、例えば釣り糸とルアーとの間に結ばれた接続金具は、釣り竿の先端において保護されることなく露出しており、トップガイドに接触した状態で運ばれることがある。
【０００４】
このため、釣り人の移動中すなわちセッティングを行った釣り竿の運搬中に、接続金具がトップガイドに繰り返して当たって、ＳｉＣリングが接続金具により破損してしまうことがある。ＳｉＣリングに亀裂が入る等、ＳｉＣリングが破損してしまうと、釣り糸がＳｉＣリングの破損した部分に接触したり擦れたりすることで切れてしまうことが多発する。また、釣り竿の搬送中に、接続金具がトップガイドに当たって嫌な金属音が発生することがある。この金属音も、釣り人にとってストレスの一つになっている。
【０００５】
ここで、トップガイドを備える釣り竿の穂先部を保護する穂先保護具が、例えば特許文献１に開示されている。特許文献１に記載された穂先保護具は、トップガイドに取り付けられる第１保持部と、釣り竿の中間位置に設けられた第２ガイドに取り付けられる第２保持部と、トップガイドから第２ガイドに亘って挿通される杆状材と、を有する。
【０００６】
第１保持部は、杆状材の一方の端部に設けられ、トップガイドに内接して取り付けられる。第２保持部は、第２ガイドに内接して取り付けられ、杆状材に着脱自在、かつ、杆状材の軸芯方向に位置調整自在とされている。杆状材は、後端部に釣り糸係止用の鉤状部を備える。
【０００７】
特許文献１に記載された穂先保護具を用いる場合には、第２保持部を取り外した状態で杆状材をトップガイドの側から挿通して第１保持部をトップガイドの内周に密接させると共に、杆状材の後端側から第２保持部を第２ガイドに密接させる位置まで挿入する。また、特許文献１に記載された穂先保護具を取り外す場合には、杆状材の鉤状部に釣り糸を係止して杆状材をトップガイドの側に引き抜くことにより、第２ガイド、第１ガイド、トップガイド夫々に対して釣り糸が挿通し、この後、第２保持部に設けられたスリットを開いて第２保持部を取り外す。
【０００８】
そのため、もし、特許文献１に記載された穂先保護具を釣り竿に装着したときに接続金具を釣り糸に取り付け杆状材の鉤状部に係止すると、穂先保護具を釣り竿から取り外すために杆状材をトップガイドの側に引き抜く際、接続金具がトップガイドを通過できないという問題がある。すなわち、一般的に、接続金具の大きさ（例えば接続金具がリング状の場合には外径）は、トップガイドの内径よりも大きい。そのため、杆状材の鉤状部に接続金具を係止している状態で杆状材をトップガイドの側に引き抜こうとしても、接続金具は、トップガイドを通過できない。釣り糸をトップガイドに通すためには、接続金具を釣り糸から一旦取り外す必要があり、釣り人は、釣り場に到着した後すぐには釣りを開始できない。
【０００９】
また、接続金具の大きさによっては、穂先保護具を釣り竿から取り外すために杆状材をトップガイドの側に引き抜く際、接続金具がトップガイドを通過できる場合がある。しかし、接続金具がトップガイドを通過する際にトップガイドに引っ掛かったり接触したりするという問題がある。そうすると、トップガイドの内側に固定されたＳｉＣリングが接続金具により破損してしまうおそれがある。
【先行技術文献】
【特許文献】
【００１０】
【特許文献１】実開平６−７４７１号公報
【考案の概要】
【考案が解決しようとする課題】
【００１１】
本考案は、前記課題を解決するためになされたものであり、釣り竿のトップガイドをより確実に保護することができる釣り竿のトップガイド保護具を提供することを目的とする。
【課題を解決するための手段】
【００１２】
前記課題は、釣り竿の先端に取り付けられているトップガイドにはめ込まれる釣り竿のトップガイド保護具であって、円錐のテーパ形状を有し、線状部材を通して前記線状部材に取り付けられている接続金具を収容する接続金具収容部と、前記接続金具収容部に接続された一方の端部から他方の端部に向かって先細りに形成され、前記トップガイドにはめ込まれるはめ込み部分と、を備え、前記接続金具収容部は、前記はめ込み部分が前記トップガイドにはめ込まれた状態で前記接続金具を内部に収容し、前記接続金具収容部および前記はめ込み部分が、前記トップガイドを保護する構成とされたことを特徴とする本考案に係る釣り竿のトップガイド保護具により解決される。
【００１３】
本考案に係る釣り竿のトップガイド保護具では、接続金具は、トップガイド保護具の接続金具収容部の内部に収容される。はめ込み部分は、トップガイドにはめ込まれる。このため、トップガイドは、トップガイド保護具により保護されるとともに、接続金具に直接当たることがなくトップガイド保護具を用いて接続金具から隔離される。釣り人が釣り竿を例えば車に載せて運ぶ際に、接続金具は、トップガイドと直接突き当たる現象を防ぐことができる。これにより、トップガイド保護具の接続金具収容部とはめ込み部分は、釣り竿のトップガイドの破損を防ぎトップガイドをより確実に保護しながら、釣り竿を搬送中に接続金具がトップガイドに当たらないようにして嫌な金属音が発生するのを防止することができる。
【００１４】
本考案に係る釣り竿のトップガイド保護具において、好ましくは、前記接続金具収容部および前記はめ込み部分は、前記トップガイドの内側および外側の両方を外力から保護することを特徴とする。
本考案に係る釣り竿のトップガイド保護具では、接続金具収容部およびはめ込み部分は、トップガイドの内側および外側の両方を外力から保護するため、トップガイドの内側に固定された例えばＳｉＣリングと、トップガイド自体と、の両方を保護することができる。
【００１５】
本考案に係る釣り竿のトップガイド保護具において、好ましくは、前記線状部材を側方から前記接続金具収容部と前記はめ込み部分との中に通すためのスリットが、前記接続金具収容部から前記はめ込み部分まで延びて形成されていることを特徴とする。
本考案に係る釣り竿のトップガイド保護具では、線状部材は、トップガイド保護具のスリットを通じて、トップガイド保護具の内部に容易に通すことができる。そのため、釣り人は、接続金具を線状部材に取り付けたままの状態で線状部材をスリットに通してトップガイド保護具の内部に入れることで、タックルの準備を容易に行うことができる。また、釣り人は、接続金具を線状部材に取り付けたままの状態で線状部材をスリットに通してトップガイド保護具の外部に出すことで、トップガイド保護具を容易に取り外し、釣りを開始することができる。
【００１６】
本考案に係る釣り竿のトップガイド保護具において、好ましくは、前記スリットは、直線状に延びていることを特徴とする。
本考案に係る釣り竿のトップガイド保護具では、釣り人は、接続金具を線状部材に取り付けたままの状態で線状部材をトップガイド保護具の直線状のスリットを通じてトップガイド保護具の内部および外部に容易に通すことができる。
【００１７】
本考案に係る釣り竿のトップガイド保護具において、好ましくは、前記スリットは、屈曲して延びていることを特徴とする。
本考案に係る釣り竿のトップガイド保護具では、釣り人は、接続金具を線状部材に取り付けたままの状態でトップガイド保護具のスリットを通じてトップガイド保護具の内部に容易に通すことができる。しかも、スリットが屈曲しているので、線状部材がトップガイド保護具の内部から外部へ抜けにくくなる。
【考案の効果】
【００１８】
本考案によれば、釣り竿のトップガイドをより確実に保護することができる釣り竿のトップガイド保護具を提供することができる。
【図面の簡単な説明】
【００１９】
【図１】本考案の第１実施形態に係るトップガイド保護具を備える釣り竿を示す正面図である。
【図２】釣り竿の先端側と、本実施形態に係るトップガイド保護具と、を示す斜視図である。
【図３】本実施形態に係るトップガイド保護具の好ましい構造例と、リーダの先端側と、接続金具と、を示している。
【図４】本実施形態に係るトップガイド保護具の使用例を示している。
【図５】本考案の第２実施形態に係るトップガイド保護具を示している。
【図６】本考案の第３実施形態に係るトップガイド保護具の第３実施形態を示している。
【考案を実施するための形態】
【００２０】
以下に、本考案の好ましい実施形態を、図面を参照して詳しく説明する。
なお、以下に説明する実施形態は、本考案の好適な具体例であるから、技術的に好ましい種々の限定が付されているが、本考案の範囲は、以下の説明において特に本考案を限定する旨の記載がない限り、これらの態様に限られるものではない。また、各図面中、同様の構成要素には同一の符号を付して詳細な説明は適宜省略する。
【００２１】
（第１実施形態）
（釣り竿１の全体構成）
図１は、本考案の第１実施形態に係るトップガイド保護具を備える釣り竿を示す正面図である。
図２は、釣り竿の先端側と、本実施形態に係るトップガイド保護具と、を示す斜視図である。
図１に示すように、釣り竿１は、穂先竿材２と、トップガイド３と、複数のガイド４，５と、グリップエンド６と、トップガイド保護具１０と、を備えている。穂先竿材２は、例えばカーボンやグラスファイバにより作られているが、これに限定されない。図１と図２に示すように、穂先竿材２の先端には、トップガイド３が取り付けられている。穂先竿材２の途中には、例えば２つのガイド４，５が間隔をおいて取り付けられている。
【００２２】
図１と図２に示すトップガイド３とガイド４，５は、例えば金属製のリング状の部材である。トップガイド３とガイド４，５の内側には、それぞれ耐摩耗性に優れたＳｉＣ（炭化ケイ素）リング１１が固定されている。トップガイド３のＳｉＣリング１１とガイド４，５のＳｉＣリング１１の中には、リーダ７と釣り糸８を通す。本実施形態のリーダ７および釣り糸８のそれぞれは、本考案の「線状部材」の一例である。なお、必ずしもリーダ７は設けられなくともよく、後述する接続金具９が直接的に釣り糸８に取り付けられてもよい。本実施形態の説明では、リーダ７が釣り糸８と接続金具９との間に設けられた場合を例に挙げる。ＳｉＣリング１１は、シリコンカーバイトを使用した硬い物質であり、釣りをする際にリーダ７や釣り糸８をスムーズに案内できる。
【００２３】
リーダ７の一端部には、金属製のリング状の接続金具９が取り付けられており、リーダ７の他端部には、釣り糸８が取り付けられている。接続金具９は、釣りをする際にルアー等の仕掛けを接続するための取り付け接続用の部材である。リーダ７は、例えば樹脂製の線状部材である。穂先竿材２の後端には、グリップエンド６が設けられており、グリップエンド６の手前側には、リールを固定するためのリールシール６Ｂが設けられている。
【００２４】
（トップガイド保護具）
次に、トップガイド保護具１０について、図２と図３を参照して説明する。
図３は、本実施形態に係るトップガイド保護具の好ましい構造例と、リーダの先端側と、接続金具と、を示している。
トップガイド保護具１０は、釣り竿１の穂先竿材２の先端に取り付けられているトップガイド３のＳｉＣリング１１に、着脱可能にはめ込まれることで、トップガイド３を保護する。トップガイド保護具１０は、好ましくは弾性変形可能な材料により形成されている。
【００２５】
図２と図３に例示するように、トップガイド保護具１０は、一端部から他端部にかけて先細りに形成されている。トップガイド保護具１０は、接続金具収容部２０と、はめ込み部分３０と、を有している。
【００２６】
図２と図３に示すように、接続金具収容部２０は、リーダ７を通すことができ、リーダ７に取り付けられている接続金具９を収容するための部分である。はめ込み部分３０は、接続金具収容部２０に接続されており、接続金具収容部２０に接続された一方の端部から他方の端部に向かって先細りに形成されている。はめ込み部分３０は、トップガイド３のＳｉＣリング１１にはめ込まれて内接される部分である。はめ込み部分３０がトップガイド３のＳｉＣリング１１内にはめ込まれた状態で、接続金具９が接続金具収容部２０内に収容され、接続金具収容部２０とはめ込み部分３０とがトップガイド３を外力から保護するようになっている。
【００２７】
＜接続金具収容部２０＞
図２と図３に示すように、トップガイド保護具１０の接続金具収容部２０は、円錐状あるいはラッパ状に形成されている。言い換えれば、接続金具収容部２０は、円錐のテーパ形状を有する。接続金具収容部２０は、円形状の先端開口部２１を有する。接続金具収容部２０の内壁２３は、内部空間２２を形成している。接続金具収容部２０の内部空間２２の内径寸法は、先端開口部２１からはめ込み部分３０側へ向かうにしたがって、徐々に小さくなっている。図３に示すように、先端開口部２１の最大内径Ｄは、接続金具９を収容できるようにするために、使用される接続金具９の最大外形寸法Ｓよりも大きく設定されている。
【００２８】
図３に示すように、接続金具収容部２０は、先端開口部２１からはめ込み部分３０に向けてテーパ部分２４とテーパ部分２５を有している。テーパ部分２４とテーパ部分２５との内部空間２２の内径寸法は、先端開口部２１からはめ込み部分３０に向けて徐々に小さくなっている。このように、テーパ部分２４とテーパ部分２５との内部空間２２の内径寸法が徐々に小さくなっているのは、次の理由からである。
【００２９】
使用される接続金具９の種類が用途に応じて多種多様であるので、接続金具９の外形寸法の大小は種類により異なる。このため、外形寸法の異なる接続金具９が使用されていても、接続金具９が先端開口部２１からＸ方向に沿って接続金具収容部２０の内部空間２２に入ると、接続金具９の位置は、テーパ部分２４の内壁２３およびテーパ部分２５の内壁２６のいずれかの位置で固定できるようにするためである。接続金具９は、固定された位置からは、はめ込み部分３０側へはこれ以上入り込まない。
【００３０】
図３に示すように、はめ込み部分３０の端部３１は、好ましくは断面円形状になっていて、テーパ部分３３とテーパ部分３４とを有する。テーパ部分３４の端部３１の中心には、リーダ７を通すための孔３２が設けられている。
【００３１】
なお、本実施形態では、接続金具収容部２０がテーパ部分２４とテーパ部分２５とを有し、はめ込み部分３０がテーパ部分３３とテーパ部分３４とを有するとして、説明している。但し、これは説明の便宜上の定義であり、例えば、接続金具収容部２０がテーパ部分２４を有し、はめ込み部分３０がテーパ部分２５とテーパ部分３３とテーパ部分３４とを有すると捉えてもよい。
【００３２】
トップガイド保護具１０は、軸方向ＣＬに沿ってスリット４０を有する。スリット４０は、リーダ７をトップガイド保護具１０の側方から接続金具収容部２０の内部空間２２とはめ込み部分３０の内部空間３５内とに簡単に通すことができるようにするために形成されている。スリット４０は、接続金具収容部２０とはめ込み部分３０とにかけて直線状に連続して形成されている。言い換えれば、スリット４０は、接続金具収容部２０からはめ込み部分３０まで延びて、トップガイド保護具１０の軸方向ＣＬの全長にわたって形成されている。トップガイド保護具１０の外周面と、トップガイド保護具１０の内部空間２２，３５と、は、トップガイド保護具１０の軸方向ＣＬに沿って全長にわたって、スリット４０を通じてつながっている。
【００３３】
＜スリット４０＞
図３に示すように、スリット４０は、全長にわたって同じ溝幅を有していても良いが、より好ましくは、異なる溝幅を有する第１溝部分４１と第２溝部分４２とから構成されている。第１溝部分４１の溝幅Ｗは、第２溝部分４２の溝幅Ｖに比べて大きく設定されている。これにより、リーダ７は、スリット４０の第１溝部分４１からトップガイド保護具１０の内部空間２２へ挿入され易く、第１溝部分４１を通った後に第２溝部分４２をやや強い力でトップガイド保護具１０の内部空間３５内に挿入されることになる。このように、第２溝部分４２の溝幅Ｖが小さく設定されているので、図１に示す釣り竿１を搬送中に、リーダ７がスリット４０の内部空間２２，３５から、不用意に抜け出しにくくなっている。
【００３４】
なお、図３に示すように、テーパ部分２４の外周面には、好ましくは第１溝部分４１の両側の位置に、突起５０，５０が設けられている。突起５０，５０は、突起５０，５０の間にリーダ７を持っていくことで、リーダ７を第１溝部分４１内へ容易に導くためのガイドの機能を有する。
【００３５】
（トップガイド保護具１０を備える釣り竿１の使用例）
次に、上述した構成を有するトップガイド保護具１０の使用例を、図４を参照して説明する。
図４は、本実施形態に係るトップガイド保護具の使用例を示している。
図４（Ａ）に示すように、多くの釣り人は釣りに行く前に、釣り竿１のセッティングを済ませて、セッティングを行った釣り竿を車に積んで移動する。その際には、接続金具９は、予めリーダ７の取り付け部７Ｒに取り付けられる。リーダ７は、トップガイド３のＳｉＣリング１１と、ガイド４，５のＳｉＣリング１１に通される。なお、図１および図２に関して前述したように、接続金具９は、釣り糸８に直接的に取り付けられてもよい。
【００３６】
そして、釣り人は、リーダ７を図４（Ａ）に示すＨ方向に沿ってトップガイド保護具１０の側方からスリット４０を通じてトップガイド保護具１０の内部空間２２，３５に容易に通すことができる。これにより、リーダ７は、図４（Ｂ）に示すように、接続金具収容部２０の先端開口部２１から内部空間２２とはめ込み部分３０の内部空間３５と、そして孔３２に、容易に通すことができる。従って、釣り人は、トップガイド３とすべてのガイド４，５にリーダ７を通し、リーダ７に接続金具９を結んだ状態で、トップガイド保護具１０の内部にリーダ７を通すことができる。
【００３７】
次に、釣り人が、図４（Ｂ）に示すように、例えばリールで釣り糸８を巻き取り、リーダ７をＮ方向に引くことで、トップガイド保護具１０のはめ込み部分３０が、トップガイド３のＳｉＣリング１１に内接するようにしてはめ込まれる。しかも、図４（Ｃ）に示すように、接続金具９は、先端開口部２１から内部空間２２に入り込み、内部空間２２の内壁２３（図３を参照）に突き当たる。これにより、接続金具９が、トップガイド保護具１０の内部に収容された状態で、これ以上Ｎ方向には行かないように固定される。
【００３８】
図４（Ｃ）に示す状態では、トップガイド保護具１０のはめ込み部分３０は、トップガイド３のＳｉＣリング１１に内接するようにして固定されている。上述したように、接続金具９は、トップガイド保護具１０の接続金具収容部２０の内部に収容されしかも位置を固定されている。接続金具９が接続金具収容部２０の内部に収容されていることから、接続金具９とトップガイド３とは、互いに直接当たることがなくトップガイド保護具１０を用いて互いに隔離されている。
【００３９】
これにより、釣り人がセッティングを行った釣り竿１を例えば車に載せて運ぶ際に、金属製の接続金具９は、トップガイド保護具１０を用いることにより、トップガイド３のＳｉＣリング１１と直接突き当たる現象を防ぐことができる。従って、接続金具９がトップガイド３のＳｉＣリング１１に突き当たることがなく、トップガイド３のＳｉＣリング１１を破損してしまう現象を回避できる。リーダ７に結ばれた接続金具９は、釣り竿１の先端においてトップガイド保護具１０内に収容された状態で保護されていて、露出されていない。釣りを行う際には、リーダ７や釣り糸８が、破損していないＳｉＣリング１１によりスムーズにガイドできるので、リーダ７や釣り糸８がＳｉＣリング１１の破損部分に接触したり擦れたりすることで切れてしまうことがなくなる。
【００４０】
このように、ＳｉＣリング１１が破損しないので、釣りを行う際には、リーダ７や釣り糸８は切れてしまうことがなくＳｉＣリング１１は図１に示すリーダ７と釣り糸８をスムーズにガイドすることができる。また、接続金具９とトップガイド３とはトップガイド保護具１０を用いて隔離されているので、釣り竿１を車で搬送中に、接続金具９がトップガイド３に当たって「カチャカチャ」といった嫌な金属音が発生することがなく、釣り人は金属音から解放される。
【００４１】
しかも、釣り竿１を立て掛けた際に釣り竿１が倒れて地面に衝突したとしても、トップガイド保護具１０の接続金具収容部２０が衝撃を吸収することができ、トップガイド保護具１０は最も弱い部分であるトップガイド３と接続金具９を守ることができる。このように、本実施形態に係るトップガイド保護具１０によれば、接続金具収容部２０およびはめ込み部分３０は、トップガイド３の内側および外側の両方を外力から保護する。そのため、接続金具収容部２０およびはめ込み部分３０は、トップガイド３の内側に固定されたＳｉＣリング１１と、トップガイド３自体と、の両方を保護することができる。
【００４２】
トップガイド保護具１０は、先端開口部２１からはめ込み部分３０に向かうにしたがって、内部空間２２の内径寸法が徐々に小さくなっている。このため、外形寸法の異なる接続金具９が使用されても、接続金具９の位置が先端開口部２１からＸ方向に沿って接続金具収容部２０の内部空間２２に入ると、接続金具９は内壁２３、２６のいずれかで固定される。外形寸法の異なる多様な接続金具９に対応すべき計算された円錐のテーパ状の接続金具収容部２０が、釣り人の使用する接続金具９を収容できる。
【００４３】
図３に示すように、スリット４０では、第１溝部分４１の溝幅Ｗが、第２溝部分４２の溝幅Ｖに比べて大きく設定されていると、リーダ７がスリット４０の第１溝部分４１からトップガイド保護具１０の内部空間２２へ挿入し易く、リーダ７は第１溝部分４１を通った後に第２溝部分４２をやや強い力でトップガイド保護具１０の内部空間３５内に挿入することになる。これにより、第２溝部分４２の溝幅Ｖが小さく設定されているので、図１に示す釣り竿１を搬送中に、リーダ７がスリット４０の内部空間２２，３５から、不用意に抜け出すのを防止できる。
【００４４】
さらに、図４（Ｄ）に示すように、釣り人が釣り場に到着して、釣りを始める際には、釣り人がトップガイド保護具１０を外す。この場合には、釣り人は、トップガイド保護具１０からＧ方向に沿って接続金具９とリーダ７を引き上げるだけで良い。これにより、釣り人は、リーダ７をスリット４０を通じて簡単に取り出すことができ、トップガイド保護具１０のはめ込み部分３０をトップガイド３のＳｉＣリング１１から取り外せる。また、釣り人は、接続金具９に仕掛けなどを取り付けたままで仕掛けを取り外さなくても、トップガイド保護具１０を接続金具９とリーダ７から簡単に取り外して、釣りを始めることができる。
【００４５】
トップガイド保護具１０は、釣り人が使用する際に安心できる程度の柔らかさを有している。もし、トップガイド保護具１０の材質が柔らかすぎると、トップガイド保護具１０は接続金具９に引っ張られて広がってしまうおそれがある。また、トップガイド保護具１０の材質があまりに硬すぎると、接続金具９とトップガイド３を保護する役割が果たしにくくなる。
【００４６】
次に、図５と図６を参照して、本考案のトップガイド保護具の第２実施形態と第３実施形態を説明する。
（第２実施形態）
次に、図５を参照して、本考案のトップガイド保護具の第２実施形態を説明する。
図５は、本考案の第２実施形態に係るトップガイド保護具を示している。
図５に示すトップガイド保護具１１０は、図３に示すトップガイド保護具１０に比べて小型である。トップガイド保護具１１０は、接続金具収容部１２０とはめ込み部分１３０とを有しており、スリット１４０を有する。接続金具収容部１２０は、図３に関して前述した接続金具収容部２０とは異なり、１つのテーパ部分を有する。スリット１４０は、直線状に延びている。接続金具収容部１２０とはめ込み部分１３０とスリット１４０との各機能は、図３に示す接続金具収容部２０とはめ込み部分３０とスリット４０と同様である。
【００４７】
（第３実施形態）
次に、図６を参照して、本考案のトップガイド保護具の第３実施形態を説明する。
図６は、本考案の第３実施形態に係るトップガイド保護具の第３実施形態を示している。
図６に示すトップガイド保護具２１０は、図５に示すトップガイド保護具１１０に比べてさらに小型である。トップガイド保護具２１０は、接続金具収容部２２０とはめ込み部分２３０とを有しており、スリット２４０を有する。接続金具収容部２２０とはめ込み部分２３０とスリット２４０との各機能は、図３に示す接続金具収容部２０とはめ込み部分３０とスリット４０と同様である。
【００４８】
スリット２４０は、直線状に延びているのではなく、屈曲して延びている。すなわち、スリット２４０は、途中に屈曲部分２４５を有している。これにより、途中に屈曲部分２４５が設けられているので、リーダ７がスリット２４０を通じて、トップガイド保護具２１０内に挿入された後に、搬送しても、リーダ７がトップガイド保護具２１０内からスリット２４０を通じて抜けにくくなっている。屈曲部分は、上述したトップガイド保護具１０，１１０にも設けることができる。
【００４９】
以上、本考案の実施形態について説明した。しかし、本考案は、上記実施形態に限定されず、実用新案登録請求の範囲を逸脱しない範囲で種々の変更を行うことができる。上記実施形態の構成は、その一部を省略したり、上記とは異なるように任意に組み合わせたりすることができる。
例えば、トップガイド保護具１０は、各種の釣り竿１に適用できる。また、釣り竿１は、投げ竿、ルアー竿や磯竿等の他の各種の竿として適用されてもよい。接続金具９は、円形状（リング状）に限らず、楕円形状や多角形状等ほかの種類の形状であっても良い。
【符号の説明】
【００５０】
１：釣り竿、  ２：穂先竿材、  ３：トップガイド、  ４、５：ガイド、  ６：グリップエンド、  ６Ｂ：リールシール、  ７：リーダ、  ７Ｒ：取り付け部、  ８：釣り糸、  ９：接続金具、  １０：トップガイド保護具、  １１：ＳｉＣリング、  ２０：接続金具収容部、  ２１：先端開口部、  ２２：内部空間、  ２３：内壁、  ２４、２５：テーパ部分、  ２６：内壁、  ３０：はめ込み部分、  ３１：端部、  ３２：孔、  ３３、３４：テーパ部分、  ３５：内部空間、  ４０：スリット、  ４１：第１溝部分、  ４２：第２溝部分、  ５０：突起、  １１０：トップガイド保護具、  １２０：接続金具収容部、  １３０：はめ込み部分、  １４０：スリット、  ２１０：トップガイド保護具、  ２２０：接続金具収容部、  ２３０：はめ込み部分、  ２４０：スリット、  ２４５：屈曲部分、  ＣＬ：軸方向
【図１】
0003232831.tif 000003
【図２】
0003232831.tif 000004
【図３】
0003232831.tif 000005
【図４】
0003232831.tif 000006
【図５】
0003232831.tif 000007
【図６】
0003232831.tif 000008
【手続補正書】
【提出日】令和3年5月6日(2021.5.6)
【手続補正１】
【補正対象書類名】実用新案登録請求の範囲
【補正対象項目名】請求項２
【補正方法】変更
【補正の内容】
【請求項２】
前記接続金具収容部は、前記トップガイドの外側の径よりも大きい径の先端開口部を有し、
前記はめ込み部分は、前記トップガイドの内側に嵌め込まれて内接する部分であり、
前記接続金具収容部および前記はめ込み部分は、前記トップガイドの前記内側および前記外側の両方を外力から保護することを特徴とする請求項１に記載の釣り竿のトップガイド保護具。
【手続補正２】
【補正対象書類名】明細書
【補正対象項目名】００１４
【補正方法】変更
【補正の内容】
【００１４】
本考案に係る釣り竿のトップガイド保護具において、好ましくは、前記接続金具収容部は、前記トップガイドの外側の径よりも大きい径の先端開口部を有し、前記はめ込み部分は、前記トップガイドの内側に嵌め込まれて内接する部分であり、前記接続金具収容部および前記はめ込み部分は、前記トップガイドの前記内側および前記外側の両方を外力から保護することを特徴とする。
本考案に係る釣り竿のトップガイド保護具では、接続金具収容部およびはめ込み部分は、トップガイドの内側および外側の両方を外力から保護するため、トップガイドの内側に固定された例えばＳｉＣリングと、トップガイド自体と、の両方を保護することができる。